(57)【要約】【課題】災害時にのみ手動または無線通信により芳香を発生し、かつ、探知に十分な量の芳香の発生を長時間維持することのできる芳香による匂い位置識別具の提供。【解決手段】外部からの刺激により芳香を放出するように構成したことを特徴とする芳香による匂い位置識別具および携帯電話のストラップに該芳香による匂い位置識別具を付設し、手動により、又は外部からの呼び出し信号により芳香による匂い位置識別具から芳香を放出する手段を設けたことを特徴とする匂い位置識別システム。【選択図】        なし【特許請求の範囲】
【請求項１】
外部からの刺激により芳香を放出するように構成したことを特徴とする芳香による匂い位置識別具。
【請求項２】
内部に芳香剤を含有し、その外装を容易に破断し得る表皮をもって構成し、携帯可能としたことを特徴とする請求項１記載の芳香による匂い位置識別具。
【請求項３】
携帯電話のストラップに請求項１記載の芳香による匂い位置識別具を付設し、手動により、又は外部からの呼び出し信号により芳香による匂い位置識別具から芳香を放出する手段を設けたことを特徴とする匂い位置識別システム。
【請求項４】
携帯電話のストラップに、外部からの特定の情報を受信する手段、受信信号をインターフェース回路を介して匂い情報収納手段に送り、該手段からの情報に基づいて、芳香剤収納部から匂いを放出する手段を有する芳香放出装置を設けたことを特徴とする請求項４記載の匂い位置識別システム。
【発明の詳細な説明】
【０００１】
【発明の属する技術分野】
本発明は災害時の捜査活動を補助するために、被災者の所在を外部に知らせるための芳香による匂い位置識別具に関する。
【０００２】
【従来の技術】
災害時に、ビルや地下施設の倒壊、家屋の倒壊現場で、被災者の早期発見のための捜索活動を補助するために、被災者の所在を外部に連絡し、捜索要員や捜索犬の捜索活動に対し、匂い等でその位置を知らせることは従来から知られていた。
例えば、特許文献１には、「ＩＤコードを格納するＲＯＭと、発信回路と、送信用アンテナと、電池と、発信スイッチとを有し、この発信スイッチを操作することによって前記ＩＤコードを送信するペンダント型発信器において、前記発信器の所定位置に香料をしみこませたシールを貼り付けたことを特徴とする香料付きペンダント型発信機や香料をしみこませた発信機ケース」について記載され、「地震などの災害時で捜索に時間がかかる場合などは、電池の消耗や意識不明などで使用者が発信スイッチを押せない場合などは電波が発信されなくなるので、受信機で探知できなくなるが、電波の代わりに香料をしみこませたシールの発生する匂いによって、このペンダント型発信機の位置を探知できる。」と記載されている。
【０００３】
また、特許文献２には、通信手段に送信された匂い情報に対応する匂いを匂い発生手段に入力するように構成し、作業員が危険な場所に入ったり、近づいたりすることを確実に防止することにより、事故や災害を効果的に防ぐことができる作業員管理システムについて記載され、特許文献３には、情報の識別に優れ防災上の避難誘導等に適した識別剤について記載されている。
【０００４】
【特許文献１】
特開平９−１９５０７号公報
【特許文献２】
特開２０００−４０１９１号公報
【特許文献３】
特開平８−１０４８８７号公報
【０００５】
【発明が解決しようとする課題】
本発明の目的は、災害時にのみ手動または無線通信により芳香を発生し、かつ、探知に十分な量の芳香の発生を長時間維持することのできる芳香による匂い位置識別具を提供することにある。
【０００６】
【課題を解決するための手段】
本発明の第１は、外部からの刺激により芳香を放出するように構成したことを特徴とする芳香による匂い位置識別具に関する。
本発明の第２は、内部に芳香剤を含有し、その外装を容易に破断し得る表皮をもって構成し、携帯可能としたことを特徴とする請求項１記載の芳香による匂い位置識別具に関する。
本発明の第３は、携帯電話のストラップに請求項１記載の芳香による匂い位置識別具を付設し、手動により、又は外部からの呼び出し信号により芳香による匂い位置識別具から芳香を放出する手段を設けたことを特徴とする匂い位置識別システムに関する。
本発明の第４は、携帯電話のストラップに、外部からの特定の情報を受信する手段、受信信号をインターフェース回路を介して匂い情報収納手段に送り、該手段からの情報に基づいて、芳香剤収納部から匂いを放出する手段を有する芳香放散装置を設けたことを特徴とする請求項４記載の匂い位置識別システムに関する。
【０００７】
本発明における匂い位置識別具は、芳香を放出することのできる芳香剤収納部からなる。
芳香剤収納部は、芳香剤とそれを収納する収納容器とからなる。ここに用いる芳香剤としては特に限定されないが、例えば、バラ、菊、百合、梅等の花の香や、檜の香、杉の香、松の香、桜の香等の樹木の香等を用いることができる。
芳香剤収納容器に入れる芳香剤は、芳香性化合物を液体に溶解した液状物、ペースト状でも良く、芳香性化合物を担持せしめた粉体など任意であるし、芳香性化合物を織布、不織布など繊維状物質に含浸または吸着させたものでも良い。
【０００８】
芳香剤収納部として芳香剤を収容する合成樹脂フィルム等からなる容器を用いることができる。また、芳香剤収納部として固体金属からなる容器を用いることができる。芳香発生時に、通電による加熱機構を有していることが好ましい。例えば、加熱機構と結合した電気回路に設けた開閉器が手動スイッチまたは制御手段からの情報によりオンの状態にあるとき、所定時間加熱するヒート線を固体金属からなる容器の外側にコイル状に巻いておくことにより、容易に加熱することができる容器が好ましい。
また、芳香剤収納部として合成樹脂製チューブを用いることができる。この場合、香料やアルコールのような揮発性溶剤に侵されないことが必要である。合成樹脂としてはポリエチレンテレフタレート、ポリプロピレン等を挙げることができる。
【０００９】
また、芳香剤収納部は、芳香剤を含有することのできる多孔質物質を用いることができる。
多孔質物質としては、多孔性金属、多孔性合成樹脂等がある。
多孔性金属としては、アルミナ、シリカアルミナのほか、ステンレス、Ｃｏ−Ｃｒ合金、ＴｉおよびＴｉ合金の焼結体がある。
多孔性合成樹脂としては、ポリウレタンフォーム、ポリイミドフォーム、ポリエチレンフォーム等があり、又、重合体中の溶剤除去法によって得られた多孔質体がある。これら多孔質体は連通気泡を有するものが好ましい。
【００１０】
以下、図面に基づき本発明を具体的に説明するが、本発明はこれにより何ら限定されるものではない。
図１〜図４は、内部に芳香剤を含有し、その外皮を手や爪で容易に破損又は開封することのできる被膜で覆った携帯可能な匂い位置識別具を示す説明図である。
図１は、本発明の、合成樹脂製ボール１の内部に芳香剤成分を織布、不織布など繊維状物質に含浸または吸着させた球状物２を内在せしめた匂い位置識別具を示す説明図である。
図２は、本発明の、合成樹脂製ボール１の内部に芳香剤を含有する溶液３を注入した匂い位置識別具を示す説明図である。
図３は、本発明の、合成樹脂製ボール１の内部に芳香剤を含有する粉体４を含有せしめた匂い位置識別具を示す説明図である。
図４は、本発明の、合成樹脂製ボール１の内部に薄い被膜で覆った芳香剤を含有する小球５を包含せしめた匂い位置識別具を示す説明図である。
ボールを構成する合成樹脂膜は、ボール内に収納した芳香剤が常時放散することのないように、ガスバリヤー材として有用な、エチレン−ビニルアルコール共重合体、ポリ塩化ビニリデン、あるいはアルミ箔やアルミ蒸着フィルムからなる薄膜で構成することが好ましい。又、ガスバリヤー性の高いポリエチレンテレフタレート、ポリ塩化ビニル、アクリル系重合体、ナイロン等のポリアミドからなる合成樹脂フィルムを用いることができる。これらフィルムは、携帯時には破断することなく、災害時等必要なときに折り曲げや爪等で容易に破断できるように構成する必要がある。そのため、例えばアルミ箔のような破断し易いフィルムを用いた場合には、その外側を、ろう、ポリスチレンフォーム、ポリウレタンフォーム、フィラーを高配合した塩化ビニル樹脂等で被覆し二重構造とし、携帯時には破断することなく、災害時必要なときに折り曲げや爪等で容易に破断し、内部に収納した芳香剤が放出するように構成することができる。
図４において示した合成樹脂製ボール１の内部に薄い被膜で覆った芳香剤を含有する小球５は、例えば、アルミ箔のような破断し易いフィルムを用いた場合には、小球被膜は１度には破断しないので、長期にわたり芳香を放出することができる。また、小球を構成する被膜を水溶性化合物からなる皮膜とすることにより、被災後、雨や消火水によりその被膜が除去され芳香を放出するように構成することもできる。
図１〜図４に示した匂い位置識別具の形状は、合成樹脂製ボールとして示してあるが、ボールに代えて、円盤状でも、薄板状でも、また、筆記用具状でも良いが、常時携帯する必要から、例えば、ポケット等に容易に納まるような大きさ、形状が好ましい。
【００１１】
図５は、本発明の、手動により芳香を放出する匂い位置識別具を示す説明図である。
芳香剤を含有する溶液６を合成樹脂薄膜からなる容器７に収納し、その外側を金属等からなる容器８に収納し、緊急時、保持部９の回転により、保持部９および金属等の容器８に刻まれたネジ部１０により保持部９を前進せしめ、保持部９の先端に形成された突起部１１により、芳香剤を含有する溶液６を収納した合成樹脂薄膜からなる容器７の一部を破壊することにより、芳香を放出することのできる匂い位置識別具である。
【００１２】
図６は、手動及び外部からの通信信号により稼動可能とした匂い位置識別具を示す。
この匂い位置識別具１２は、芳香剤保管部１３、ファン１４、ファン１４に結合した駆動部１５、駆動部１５を駆動せしめる電池部１６および駆動部１５と電池部１６間の回路に開閉部（図示せず）を設け、ファン１４の回転により発生した芳香を外部に放出する放出孔１７を設けてある。そして、外部からの通信信号を受信し、開閉部を制御し得る制御部１８を設けることにより、被災者が自力で匂い位置識別具１２を操作することができなくとも、外部からの信号を発信することにより匂い位置識別具１２を稼動状態とすることができる。また、把持部１９等匂い位置識別具１２の一部に開閉部を操作することのできる押ボタンを設けることにより、手動操作も併せて可能とすることができる。
芳香剤保管部を、芳香剤を含有する多孔質物質で成形したファン１４とすることで、芳香剤保管部を独立して設ける必要がなくなる。しかし、この方法においても芳香の放出が十分でないときは、芳香剤保管部１３を補完のため設けることができる。
芳香剤保管部は、容易に交換し得るよう脱着容易に構成することが好ましい。
【００１３】
図７は、手動及び外部からの通信信号により稼動可能とした匂い位置識別具の他の１例を示す説明図である。
この匂い位置識別具２０は、芳香剤保管部として芳香剤２１を含有する袋状物２２、該袋状物２２を固定すると共に該袋状物２２を穿孔したとき、芳香剤が制御部２３や駆動部２４に進入することの無いように設けた遮断壁２５、遮断壁２５の中央は、カッター部２６が上下に稼動しうるカッター部保持孔２７が設けられている。カッター部２６に結合した駆動部２４、駆動部２４を駆動せしめる電池部２８および駆動部２４と電池部２８間の回路に開閉部（図示せず）を設け、駆動部２４の駆動により、カッター部２６下部に設けられたネジ部（図示せず）によりカッター部２６を上方に進行させることによりカッター部２６による芳香剤２１を含有する袋状物２２の開口により発生した芳香を外部に放出する放出孔２９を設けてある。そして、外部からの信号を受信し、開閉部を制御し得る制御部２３を設け、外部からの通信信号により駆動部を駆動することにより、カッター部２６による芳香剤２１を含有する袋状物２２の開口により発生した芳香を外部に放出する。また、把持部３０を手動で回転させることによりネジ部によりカッター部２６を上方に進行させることにより芳香剤を含有する袋状物２２を開口することもできるように設計することもできる。
【００１４】
図６、図７に示すように構成することにより、災害時、例えば瓦礫の下となってしまい、身動きできないときに、例えば、電話機固有の呼び出し番号と付加記号との結合により、携帯電話器のストラップに取付けられた匂い位置識別具の受信部に情報を送り、インターフェース回路を介して制御部からの指令に基づき自動的に芳香を放出することができ、被災者の発見が極めて容易となる。また、開閉器に接続した押しボタンを押すことや把持部を回転することができるような状態のときは、被災者自ら押しボタンを押したり把持部を回転することにより、被災者の意思で自分の存在位置を知らせることができるので、より一層の速い救出を可能とすることができる。
【００１５】
図６においては、ファンの回転により発生した芳香を外部に放出する例を、また、図７においては、カッター部による芳香剤を含有する袋状物の開口により発生した芳香を外部に放出する例を示したが、制御部からの情報に基づいてドライバー手段を稼動せしめ、芳香剤収納部から芳香を放出する手段としては特に制限はない。
芳香剤収納部から芳香を放出する手段としては、芳香剤収納部に対して超音波振動、加熱、加圧、風などの手段を単独あるいは併用して加えることのできる手段があり、これにより芳香剤収納部に収納されている芳香剤を外部に放出することができる。例えば、超音波振動は、超音波が芳香剤物質を刺激し霧状にして外部に放出する。また、芳香剤収納部の周辺に加熱器具などを装着することもできる。この場合の加熱器具としては、例えば熱応答性に優れたセラミックス材料を使用するなど、熱量の発生を瞬時に伝達できるものが好ましい。また、圧力を利用する例としては、高周波振動モータなどで圧力弁を上下に動かし、開閉口から外部に匂いを発生させることもできる。場合によっては、芳香剤収納部と匂いを放出する手段とを一体化することもできる。この場合には、芳香剤収納部材として金属、セラミックス、プラスチックス、繊維材料等からなる多孔体を用い、この多孔体に芳香剤を塗布および／または含浸させておき、制御手段からの信号により、回転、振動、熱あるいは風圧のような圧力等を加えることにより、芳香を外部に放出させることができる。
【００１６】
【発明の効果】
本発明により、災害時にのみ手動または無線通信により芳香を発生し、かつ、探知に十分な量の芳香の発生を長時間維持することのできる芳香による匂い位置識別具および該芳香による匂い位置識別具を用いた匂い位置識別システムを提供することができた。
【図面の簡単な説明】
【図１】本発明の、合成樹脂製ボールの内部に芳香剤成分を織布、不織布など繊維状物質に含浸または吸着させた球状物を内在せしめた匂い位置識別具を示す説明図である。
【図２】本発明の、合成樹脂製ボールの内部に芳香剤を含有する溶液を注入した匂い位置識別具を示す説明図である。
【図３】本発明の、合成樹脂製ボールの内部に芳香剤を含有する粉体を含有せしめた匂い位置識別具を示す説明図である。
【図４】本発明の、合成樹脂製ボールの内部に薄い被膜で覆った芳香剤を含有する小球を包含せしめた匂い位置識別具を示す説明図である。
【図５】本発明の、手動により芳香を放出する匂い位置識別具を示す説明図である。
【図６】本発明の、手動及び外部からの通信信号により稼動可能とした匂い位置識別具を示す説明図である。
【図７】本発明の、手動及び外部からの通信信号により稼動可能とした匂い位置識別具の他の１例を示す説明図である。
【符号の説明】
１  合成樹脂製ボール
２  球状物
３  芳香剤を含有する溶液
４  芳香剤を含有する粉体
５  小球
６  芳香剤を含有する溶液
７  容器
８  容器
９  保持部
１０  ネジ部
１１  突起部
１２  匂い位置識別具
１３  芳香剤保管部
１４  ファン
１５  駆動部
１６  電池部
１７  放出孔
１８  制御部
１９  把持部
２０  匂い位置識別具
２１  芳香剤
２２  袋状物
２３  制御部
２４  駆動部
２５  遮断壁
２６  カッター部
２７  カッター部保持孔
２８  電池部
２９  放出孔
３０  把持部
【図１】
2005006672.tif 000002
【図２】
2005006672.tif 000003
【図３】
2005006672.tif 000004
【図４】
2005006672.tif 000005
【図５】
2005006672.tif 000006
【図６】
2005006672.tif 000007
【図７】
2005006672.tif 000008